(57)【要約】【課題】開口部の安定した開口状態を衛生的に維持することができる消毒材等の医療用材の衛生袋を提供する。【解決手段】開口部を開閉自在とする開口封着部が衛生袋本体に設けられた医療用材の衛生袋において、前記衛生袋本体の開口状態を保持し得るように、前記衛生袋本体又は前記開口封着部には、開口保持部材が設けられてなり、該開口保持部材は、前記衛生袋本体の開閉に応じて変形可能で且つ開口状態でその形状を維持するように構成されてなることを特徴とする医療用材の衛生袋を提供する。【選択図】　図２
2004000447.tif 000002
【特許請求の範囲】
【請求項１】
開口部を開閉自在とする開口封着部が衛生袋本体に設けられた医療用材の衛生袋において、
前記衛生袋本体の開口状態を保持し得るように、前記衛生袋本体又は前記開口封着部には、開口保持部材が設けられてなり、
該開口保持部材は、前記衛生袋本体の開閉に応じて変形可能で且つ開口状態でその形状を維持するように構成されてなることを特徴とする医療用材の衛生袋。
【請求項２】
前記開口保持部材は、前記衛生袋本体の開閉に応じて塑性変形可能な材料からなり、開口した際の形状を維持することにより、前記袋本体の開口状態を保持しうる請求項１記載の医療用材の衛生袋。
【請求項３】
前記塑性変形可能な材料が、金属線材又はポリエチレンテレフタレート系ポリエステルと無機粉末とを含有する塑性化ポリエステル線材である請求項２記載の医療用材の衛生袋。
【請求項４】
前記開口保持部材は、前記衛生袋本体の開閉に応じて弾性変形可能で且つ封止状態から開口状態へ付勢する弾性材料からなる請求項１記載の医療用材の衛生袋。
【請求項５】
開口部を開閉自在とする開口封着部が設けられた衛生袋本体において、前記開口封着部の近傍に線材等の開口保持部材を設け、該袋本体の開口状態を保持し得るように構成してなることを特徴とする医療用材の衛生袋。
【請求項６】
袋本体がアルミニウム箔、アルミニウム蒸着フィルム、酸化アルミニウム蒸着フィルム、珪素蒸着フィルム、ポリビニルアルコールフィルム、ポリアクリロニトリルフィルム、エチレンビニルアルコールフィルムおよびポリ塩化ビニリデンフィルムの内のいずれか、またはそれらの内のいずれかを含むラミネートフィルムからなる請求項１乃至５の何れかに記載の医療用材の衛生袋。
【請求項７】
開口保持部材が針金等の塑性変形が可能な材料、または円弧状に成形された板バネ等の弾性材料からなる請求項１、５又は６記載の医療用材の衛生袋。
【発明の詳細な説明】
【０００１】
【発明の属する技術分野】
本発明は、ガーゼ、包帯、綿球、綿棒あるいは薬剤含浸布体等の各種の医療用材を収納するために用いられる消毒材等医療用材の衛生袋に関するものである。
【０００２】
【従来の技術】
従来、医療用材の衛生袋としては、例えば、図６の（イ）に示すような医療用材の衛生袋１００が知られている。この衛生袋１００は、ガーゼや包帯あるいは衛生綿等の医療用材を収納するために用いられるものであり、例えば合成樹脂製の矩形状を呈した一対のフィルム１０１の三辺部分に溶着処理による溶着帯１０２が形成されることによって構成され、且つ、上方に医療用材を出し入れするための開口部１０３が設けられている。
【０００３】
開口部１０３直下の各フィルム１０１の対向面間には、開閉自在な開口封着部として、例えば、合成樹脂製の帯状ファスナー１０４が介設されている。帯状ファスナー１０４は、フィルム１０１の一方側に溶着された雄ファスナー１０５と、同他方側に溶着された雌ファスナー１０６とからなっている。雄ファスナー１０５には、長手方向に延びる断面視で円形の凸条１０５ａが設けられている一方、雌ファスナー１０６には、前記凸条１０５ａに対応して設けられた断面視で蟻溝状の凹溝１０６ａが凹設され、凸条１０５ａを凹溝１０６ａに圧入することによって開口部１０３が封止され、これによって衛生袋１００内への湿気や微生物の侵入が防止されるようになっている。
【０００４】
【発明が解決しようとする課題】
ところで、前記のような従来の衛生袋１００にあっては、開口封着部としての帯状ファスナー１０４はやや硬質の合成樹脂材料で若干肉厚に形成されているため、雌雄のファスナー１０５，１０６を互いに反対方向に引き広げ両者の係着を解消して開口部１０３を開口（開放）した状態では、雌雄のファスナー１０５，１０６は弾性変形しているためその復元力や、袋そのものの復元力によって、図６の（ロ）に示すように、開口部１０３が狭まって最後には閉じてしまい、ピンセット等を用いて内部の医療用材を容易に取り出すことができず、医療用材取り出しの作業性が劣るという問題点を有していた。
【０００５】
かかる問題点を解消するために、図７に示すように、衛生袋１００の開口部１０３を開口した状態で、当該開口部１０３に剛性材料からなる環状体１０７を嵌め込むことがある。このようにすると、剛性材料からなる環状体１０７の形状保持力によって開口部１０３の開口状態を維持させることができる。
【０００６】
しかしながら、衛生袋１００内から医療用材を取り出すに際して一々開口部１０３に環状体１０７を嵌め込んだり、用済み後に一々開口部１０３から環状体１０７を取り外して開口部１０３を封止するような面倒な操作を行わなければならず、余分な作業が増えるばかりか、環状体１０７を、必ずしも衛生的な環境にあるとは限らない外部から衛生袋１００内に嵌め込むこと自体、衛生面で問題は大きい。
【０００７】
本発明は、前記のような種々の問題点に鑑み、開口部の安定した開口状態を衛生的に維持することができる消毒材等の医療用材の衛生袋を提供することを目的としている。
【０００８】
【課題を解決するための手段】
本発明は、開口部を開閉自在とする開口封着部が衛生袋本体に設けられた医療用材の衛生袋において、
前記衛生袋本体の開口状態を保持し得るように、前記衛生袋本体又は前記開口封着部には、開口保持部材が設けられてなり、
該開口保持部材は、前記衛生袋本体の開閉に応じて変形可能で且つ開口状態でその形状を維持するように構成されてなることを特徴とする医療用材の衛生袋を提供する。
【０００９】
本発明によれば、袋本体の開口封着部を開口した状態に於いて、開口状態の形状を維持する開口保持部材が、袋本体の開口状態を保持するように機能するため、従来のように開口封着部および袋本体の弾性力で開口部が閉じる方向に縮口して閉じてしまい、これによって袋本体内の医療用材の取り出し操作が困難になるという不都合が解消され、ピンセット等の摘持治具が袋の内壁に接しない状態で袋本体内から医療用材を容易に取り出すことが可能になり、医療作業の操作性と衛生性とが向上する。
【００１０】
本発明において、開口保持部材は、前記衛生袋本体の開閉に応じて塑性変形可能な材料からなり、開口した際の形状を維持することにより、前記袋本体の開口状態を保持しうる構成が好ましい。
斯かる構成によれば、封止状態から開口状態にすると、開口保持部材が塑性変形して開口した際の形状を維持することから、袋本体や開口封着部の復元力に抗して開口状態を十分に保持することができる。
【００１１】
斯かる構成において、前記塑性変形可能な材料としては、金属線材又はポリエチレンテレフタレート系ポリエステルと無機粉末とを含有する塑性化ポリエステル線材であるものを採用することもできる。
これらの線材であれば、開口状態において、袋本体及び開口封止部の復元力に対抗して十分にその形状を維持することができるものとなり得、十分に開口状態を保持しうるものとなる。
【００１２】
ここで、金属線材としては、銅、鉄、ステンレス等からなる線材を用いることができる。
尚、本発明に於いて、塑性化ポリエステル線材とは、ポリエチレンテレフタレート系ポリエステルと無機粉末とを含有することにより、該ポリエステル単体の線材よりも塑性変形し易くされた線材を意味する。
また、前記ポリエチレンテレフタレート系ポリエステルとは、ポリエチレンテレフタレート、及び、ポリエチレンテレフタレート原料となるテレフタル酸又はエチレングリコールの一部を他のジカルボン酸又はグリコール成分と置換したものを含む概念である。
【００１３】
ここで、他のジカルボン酸成分としては、イソフタル酸、２，６−ナフタレンカルボン酸、１，４−シクロヘキサンジカルボン酸、アジピン酸、セバシン酸、ダイマー酸、スルホン酸金属塩置換イソフタル酸等を挙げることができ、他のグリコール成分としては、ジエチレングリコール、ネオペンチルグリコール、１，４−シクロヘキサンジオール、１，４−シクロヘキサンジメタノール、ポリアルキレングリコール等を挙げることができる。更に、これらの成分の他にも、ペンタエリスリトール、トリメチロールプロパン、トリメリット酸、トリメシン酸、硼酸等の鎖分岐剤を用いることもできる。
【００１４】
前記無機粉末としては、塩化カルシウム（無水又は含水物）、硫酸バリウム、貝殻（又は炭酸カルシウム）、ガラス（又はシリカ）、タルク、クレー、カオリン、ウォスラナイト、雲母、酸化チタン、カーボンブラック、珪藻土、金属、ドーソナイト、水酸化マグネシウム、水酸化アルミニウム等の粉末から選ばれる１種以上を挙げることができる。無機粉末としてはこれらの中でも、塩化カルシウム、炭酸カルシウム、硫酸バリウム及びガラスの粉末から選ばれる１種以上が好ましい。
無機粉末の粒径は、通常、約０．２〜１００μｍであることが好ましい。
無機粉末の含有量は、ポリエチレンテレフタレート系ポリエステル１００重量部に対して２０〜１５０重量部であることが好ましく、４０〜１００重量部であることが特に好ましい。
【００１５】
また、塑性化ポリエステル線材には、線材の塑性を損なわない範囲内に於いて、他の成分、例えば、上記以外の無機粉末、抗酸化剤、金属イオン封鎖剤、イオン交換剤、着色防止剤、耐光剤、難燃剤、包接化合物、帯電防止剤、着色剤、ワックス類、シリコーンオイル、界面活性剤、補強剤、可塑剤等が配合されていても良い。塑性化ポリエステル線材の直径は、断面が円形の場合、約０．１０〜０．７５ｍｍであることが好ましい。このような塑性化ポリエステル線材は、通常、複数本同時に使用され、又は、まとめられて使用されることにより、開口保持部材として機能する。
【００１６】
このような塑性化ポリエステル線材は、一般的な方法、例えば、各成分を配合したのち、溶融紡糸し、延伸処理したのち巻き取る方法により製造することができる。
【００１７】
尚、前記塑性化ポリエステル線材は、プラスチックフィルム層４で被覆されていても良い。
プラスチックフィルム層４を形成するプラスチックとしては、本発明の塑性帯紐１としての塑性を損なわない範囲のものであれば特に制限されるものではなく、例えば、ポリエチレンテレフタレート等のポリエステルを挙げることができる。
【００１８】
本発明において、前記開口保持部材は、前記衛生袋本体の開閉に応じて弾性変形可能で且つ封止状態から開口状態へ付勢する弾性材料からなる構成を採用することもできる。
【００１９】
また、本発明は、開口部を開閉自在とする開口封着部が設けられた衛生袋本体において、前記開口封着部の近傍に線材等の開口保持部材を設け、該袋本体の開口状態を保持し得るように構成してなることを特徴とする医療材用の衛生袋を提供する。
【００２０】
斯かる発明によれば、袋本体の開口封着部を開口した状態で、当該開口封着部の近傍に設けられた開口保持部材が袋本体の開口状態を保持するように機能するため、従来のように開口封着部および袋本体の弾性力で開口部が閉じる方向に縮口して閉じてしまい、これによって袋本体内の医療用材の取り出し操作が困難になるという不都合が解消され、ピンセット等の摘持治具が袋の内壁に接しない状態で袋本体内から医療用材を容易に取り出すことが可能になり、医療作業の操作性と衛生性とが向上する。
【００２１】
本発明においては、袋本体がアルミニウム箔、アルミニウム蒸着フィルム、酸化アルミニウム蒸着フィルム、珪素蒸着フィルム、ポリビニルアルコールフィルム、ポリアクリロニトリルフィルム、エチレンビニルアルコールフィルムおよびポリ塩化ビニリデンフィルムの内のいずれか、またはそれらの内のいずれかを含むラミネートフィルムからなるものが好ましい。
【００２２】
斯かる構成によれば、蒸着フィルムやポリビニルアルコールフィルムなどは密封性が極めて優れているため、当該フィルムからなる袋本体が開口封着部により封止されることにより、内部の水分の揮散が阻止されて医療用材の乾燥を防止することができたり、逆に湿気の内部への侵入を抑えて乾燥状態を維持することができるとともに、微生物の袋本体内への侵入が確実に阻止され、袋本体内の衛生的な状態を維持することができる。
【００２３】
本発明においては、開口保持部材が針金等の塑性変形が可能な材料、または円弧状に成形された板バネ等の弾性材料からなるものが好ましい。
【００２４】
開口保持部材が針金などの塑性変形が可能な材料からなるものである場合、塑性変形力（塑性変形した形状を維持する力）が開口封止部の弾性変形力より大きな針金等を使用することにより、開口封着部を開けた状態での針金の塑性変形で袋本体の開口状態が保持される。
【００２５】
また、開口保持部材が円弧状に成形され、かつ、開口封着部より大きい弾性力を有する板バネなどの弾性材料からなるものを用いることにより、板バネの弾性力によって袋本体の開口部の開口状態が保持される。
【００２６】
このように、開口保持部材として塑性変形が可能な例えば針金や、円弧状を呈した弾性材料からなる例えば板バネを用いることにより、開口保持部材の構成を簡単なものにした上で、袋本体の開口部の開口状態を確実に維持させることが可能になる。
【００２７】
【発明の実施の形態】
図１は、本発明に係る衛生袋の一実施形態を示す分解斜視図であり、図２は、その組立て斜視図である。また、図３は、図２のＡ−Ａ線矢視の断面図である。これらの図に示すように、衛生袋１０は、所定の寸法に設定された矩形状の一対のラミネートフィルム２０と、これら一対のラミネートフィルム２０間に幅方向に延びるように介設される帯状ファスナー（開口封着部）３０とを備えて構成され、該帯状ファスナー３０の直下であって各ラミネートフィルム２０の表側には針金内装テープ４０がそれぞれ取り付けられている。
【００２８】
ラミネートフィルム２０は、本実施形態においては、一方の合成樹脂フィルムに蒸着されたアルミニウムの薄層を他方の合成樹脂フィルムで覆った、いわゆるアルミニウム蒸着フィルムが採用されている。かかる一対のラミネートフィルム２０が互いに重ね合わされた状態でこれらの三縁部（両側縁部および下縁部）が溶着処理されてこの部分に溶着帯２２が形成されることにより、上縁部間に開口部２１の形成された袋本体１１（図２）が形成されている。
【００２９】
このようなラミネートフィルム２０を採用することによって、袋本体１１は、帯状ファスナー３０によって密封された状態で気密性が極めて良好になり、これによって内部の水分の揮散が有効に防止されたり、逆に内部への湿気の侵入が阻止されるとともに、微生物の袋本体１１内への侵入が確実に防止されるようになっている。
【００３０】
前記帯状ファスナー３０は、袋本体１１の開口部２１を密閉状態で封止するためのものであり、容易に弾性変形し得る若干硬質の合成樹脂材料によって形成されている。
【００３１】
かかる帯状ファスナー３０は、雄ファスナー３１と、この雄ファスナー３１に対面配置される雌ファスナー３２とからなっている。雄ファスナー３１は、長尺の平板部３３と、この平板部３３の雌ファスナー３２への対向面に突設された、長手方向に延びる断面形状が円形の凸条３４とからなっている。
【００３２】
これに対し雌ファスナー３２は、前記同様の平板部３３と、この平板部３３の雄ファスナー３１に対する対向面に凸条３４に対応するように突設された堰条３５とからなり、この堰条３５に凸条３４に対向した状態で断面形状が円形の長手方向に延びる蟻溝条の凹溝３６が凹設されている。そして、凸条３４が凹溝３６に圧入されることにより雄ファスナー３１および雌ファスナー３２が密着状態で一体化されるとともに、両者を引き剥がすことにより雄ファスナー３１および雌ファスナー３２が分離するようになっている。
【００３３】
このような帯状ファスナー３０は、雄ファスナー３１の平板部３３が一方のラミネートフィルム２０の上部位置に幅方向に延びるように溶着されるとともに、雌ファスナー３２の平板部３３が雄ファスナー３１に対面するように他方のラミネートフィルム２０に溶着された状態で、各ラミネートフィルム２０の三方の縁部が前記のように溶着処理されることによって、袋本体１１に帯状ファスナー３０が装着された状態になるようになされている。
【００３４】
前記針金内装テープ４０は、一対の粘着テープ４１と、これら一対の粘着テープ４１の粘着面間に長手方向に延びるように挟持された針金（開口保持部材）４２とを備えて構成されている。かかる針金内装テープ４０が袋本体１１における帯状ファスナー３０の直下に袋本体１１を挟んだ状態で帯状ファスナー３０と平行に溶着処理されることにより、図２に示すように、衛生袋１０が仕上っている。
【００３５】
針金４２は、塑性変形力が雄ファスナー３１および雌ファスナー３２の弾性変形力より大きなものが採用され、これによって雄ファスナー３１および雌ファスナー３２は針金４２が塑性変形した状態で当該塑性変形に追随し、元の状態には復元しないようになされている。
【００３６】
また、針金内装テープ４０は、長さ寸法が袋本体１１の幅寸法より若干短めに寸法設定されているとともに、各端縁部には針金４２に掛る円弧状の切込み部４３が設けられ、これらの切込み部４３の存在で針金４２の外部への突出が防止されて安全性が確保されるようになっている。このような粘着テープ４１に挟持された針金４２によって本実施形態の開口保持部材が形成されている。
【００３７】
図４は、衛生袋１０の開口部２１が開口した状態を示す斜視図である。すなわち、本実施形態の衛生袋１０によれば、一対のラミネートフィルム２０の上縁部のそれぞれを指で摘んで互いに反対方向に引き広げることにより、図４に示すように、帯状ファスナー３０による封止が解消されて袋本体１１の開口部２１が開口される。
【００３８】
そして、開口部２１が開口された状態では、一対の針金内装テープ４０は、開口部２１の開口形状に沿うように中央部が互いに離間方向に円弧状に膨出した状態が針金４２の塑性変形によって維持されるため、袋本体１１内に収納されているガーゼ等の医療用材をピンセット等の治具を用いて容易に取り出すことができる。
【００３９】
したがって、従来の衛生袋１００（図６）のように、一旦衛生袋１００の開口部１０３を開口しても、帯状ファスナー１０４の弾性力によって開口部１０３が狭まって閉じてしまい、これによって内部の医療用材を取り出すのが困難になって効率的な医療作業が行い得なくなるというような不都合は、本発明の衛生袋１０を採用することによって確実に解消される。
【００４０】
本発明は、上記の実施形態に限定されるものではなく、以下の内容をも包含するものである。
【００４１】
（１）上記の実施形態においては、開口保持部材として針金４２が採用されているが、本発明は開口保持部材が針金４２であることに限定されるものではなく、その他の線材であってもよい。針金４２を採用する場合であっても、その材質としては、銅、鉄、ステンレス、合金等の種々のものを採用することができる。
さらには針金４２に代えて円弧状に成形処理した板バネを採用してもよい。かかる板バネを採用することによって、帯状ファスナー３０の係着が解除された状態では、衛生袋１０は板バネの付勢力によって、図４に示すように、開口部２１が開口された状態になる。そして、板バネの付勢力を帯状ファスナー３０の係着力より弱く設定しておくことにより、雄ファスナー３１と雌ファスナー３２とが互いに係着された開口部２１の封止状態は維持される。さらに、開口保持部材は、線材や板バネ等に限定されるものではなく、袋本体１１の開口時に開口状態が保持でき、開口部２１の封止時に封止状態を保持し得るものであれば、その部材は限定されるものではなく、例えば、針金４１に代えて、ポリエチレンテレフタレート系ポリエステルと無機粉末とを含有する塑性化ポリエステル線材を採用しても良い。
【００４２】
（２）上記の実施形態においては、針金内装テープ４０は溶着処理によって袋本体１１の表面に取り付けられているが、本発明は、針金内装テープ４０を溶着処理で袋本体１１に取り付けることに限定されるものではなく、粘着材あるいは接着剤を介して袋本体１１に取り付けてもよい。
【００４３】
（３）上記の実施形態においては、袋本体１１としてアルミニウム蒸着フィルム製のラミネートフィルム２０が採用されているが、本発明は、袋本体１１がアルミニウム蒸着フィルム製であることに限定されるものではなく、バリア性を有するフィルムや、バリア性を付与するためにコーティング処理が施されたフィルム、さらにはそれらのフィルムのラミネート品であってもよい。また、袋本体１１がラミネートフィルム２０製であることに限定されるものではなく、用途に応じて通常の合成樹脂フィルムや、織製品などを採用してもよい。
【００４４】
（４）上記の実施形態においては、帯状ファスナー３０の直下に針金内装テープ４０が設けられているが、本発明は、針金内装テープ４０を帯状ファスナー３０の直下に設けることに限定されるものではなく、帯状ファスナー３０の直上に設けてもよい。
【００４５】
（５）上記の実施形態において、袋本体１１の低部をスタンディング形状（直立可能形状）にしてもよい。これによって袋本体１１をテーブル等に直立させることが可能になり、衛生袋１０が使用し易くなる。また、袋本体１１の両側部をガセット状（折りひだ形状）に形成してもよい。これによって衛生袋１０の容量を大きくすることができる。
【００４６】
（６）上記の実施形態においては、衛生袋１０の開口部２１の開口状態を維持させるための針金４２は、粘着テープ４１に内装された状態で袋本体１１の外面側に貼着されているが、こうする代わりに針金４２の埋設された帯状ファスナー３０′を採用してもよい。
【００４７】
図５は、針金４２の埋設された帯状ファスナー３０′の一実施形態を示す拡大斜視図である。なお、図５においては、図示の都合上、一対のラミネートフィルム２０は、縁部同士が溶着されていない状態を示している。この図に示すように、針金４２は、帯状ファスナー３０′を構成する雄ファスナー３１′および雌ファスナー３２′の各基端側の平板部３３に長手方向へ向けてそれぞれ埋設されている。そして、かかる雄ファスナー３１′および雌ファスナー３２′が、それぞれ凸条３４および凹溝３６を互いに対向させた状態でラミネートフィルム２０の内面側に取り付けられている。
【００４８】
かかる帯状ファスナー３０′が設けられた衛生袋１０′によれば、開口部２１を開口することにより、針金４２の塑性変形で開口状態が維持されることは先の実施形態の衛生袋１０と同様であるが、これに加えて、針金４２が雄ファスナー３１′および雌ファスナー３２′に埋設されているため、先の実施形態のような針金内装テープ４０を袋本体１１の外面側に貼着する必要がなくなり、衛生袋１０´の外観視がスッキリして美麗になるという格別の効果を得ることができる。
【００４９】
そして、本発明の「開口封着部（帯状ファスナー３０′が装着されている部分）の近傍に線材等の開口保持部材（針金４２）を設け、」という概念の中には、雄ファスナー３１′および雌ファスナー３２′にそれぞれ針金４２の埋設される事項が含まれる。
【００５０】
（７）上記の実施形態においては、袋本体１１の開口部２１の開口保持用として袋本体１１の表裏（すなわち一対のラミネートフィルム２０のそれぞれ）に装着するために２本の針金４２が採用されているが、本発明は、針金４２が２本であることに限定されるものではなく、袋本体１１の表裏いずれか一方側のラミネートフィルム２０にのみ１本の針金４２を設けるようにしてもよい。
【００５１】
【発明の効果】
以上のように、本発明によれば、開口部の安定した開口状態を衛生的に維持することができるという効果を奏する。
【図面の簡単な説明】
【図１】本発明に係る衛生袋の一実施形態を示す分解斜視図である。
【図２】図１に示す衛生袋の組立て斜視図である。
【図３】図２のＡ−Ａ線矢視の断面図である。
【図４】衛生袋の開口部が開口された開口状態を示す斜視図である。
【図５】針金の埋設された帯状ファスナーの一実施形態を示す拡大斜視図である。
【図６】従来の衛生袋を例示する斜視図であり、（イ）は開口部が閉じられた封止状態、（ロ）は開口部が開かれた開口状態をそれぞれ示している。
【図７】図６に示す従来の衛生袋の開口部に環状体が装着された状態を示す斜視図である。
【符号の説明】
１０，１０′　衛生袋　　　　１１　袋本体
２０　ラミネートフィルム　　２１　開口部
２２　溶着帯　　　　　　　　３０，３０′　帯状ファスナー（開口封着部）
３１，３１′　雄ファスナー　３２，３２′　雌ファスナー
３３　平板部　　　　　　　　３４　凸条
３５　堰条　　　　　　　　　３６　凹溝
４０　針金内装テープ　　　　４１　粘着テープ
４２　針金（開口保持部材）　４３　切込み部
【図１】
2004000447.tif 000003
【図２】
2004000447.tif 000004
【図３】
2004000447.tif 000005
【図４】
2004000447.tif 000006
【図５】
2004000447.tif 000007
【図６】
2004000447.tif 000008
【図７】
2004000447.tif 000009